【手続補正書】
【提出日】平成16年6月24日(2004.6.24)
【手続補正１】
【補正対象書類名】明細書
【補正対象項目名】特許請求の範囲
【補正方法】変更
【補正の内容】
【特許請求の範囲】
【請求項１】
方式の計算の仕方と理論が、わかりましたので説明します。
プラスのテコとプラスのテコで生まれる倍率は、自然に生まれるエネルギーなので、自然に生まれる倍率となります。
従来の方式は、テコの上下運動を、１回行ない１回転させて何倍率かに上げる方式は、マイナスのテコお利用した構造の方式です。
プラスの方式は、棒型のテコで、上下運動を何回行なっても、倍率は変わらないいので１回転を、何回かに分割分担させて、１回転にする方式で、プラスのテコを利用し倍率を上げ、同じ回転数の構造に出来る方式です。
今までプラスのテコ、又、マイナスのテコとして、ゆつて書いて来ましたが、テコには、マイナスもプラスのテコも同じテコです、使用する構造により、マイナスのテコになる構造と、プラスのテコになる構造が有ります。
マイナスのテコを使用しているのは、歯車、又、円形にして真中に軸を支点にして使用している構造の物は、皆マイナスのテコと言う事です。
プラスのテコの構造は、棒型のテコの上下運動を、利用して回転に変える方式で、歯車は、軸又は、支点の位置を、左右に動かす事が出来ません。
棒型のテコは、テコを左右に動かして、支点の位置を変える事が出来ますので倍率の位置の支点を変える事により倍率も変わり、３倍率のテコを、ゼロ倍率のテコにも変え、同じ回転数にすることも出来ます。
このプラスのテコには軸が、２カ所取り付けてる構造を、利用した方式です。
１つは倍率を上げる支点の位置を変えるテコと、２つめは２倍率から３倍率に変えるクランクシャフトの軸の支点を、２倍率の所に軸を取り付けて、２倍率から１倍率に変える事が出来クランクシャフトを、回転させて左右に動かして倍率  を変ええる事により同じ回転数にする事が出来ます。
同じ回転数とは、入力の回転数と出力の回転数が同じで、１倍率の倍率が２倍率以上になる、プラス１倍率以上を自然に上げる事が出来る方式です。
この方式は、１回転を分割分担させて、１回転にする方式です。
その分割の仕方ですが、入力と出力の回転数を同じにする方法ですが、１回転は、３６０度有りますが、その３６０度をテコの作用点の角度で割ります。
作用点の上下運動の巾の角度を４０度になるような構造にして、入力する２倍率の軸の角度が、６０度になる構造になります。
３６０÷４０は９となり、１回転を９分割させて１回転にする事が出来ます。
入力の回転はテコの２倍率の、上下運動の巾の角度が６０度になりますので６０×９は５４０度になりますが、１倍率の角度を知るための計算は、このテコが３倍率の長さなので、５４０÷３は１８０度になるので、１倍率の角度は、１８０度となります。
このテコは、２倍率のテコの所にクランク軸を使用して回転に変えておりますので、１８０×２は３６０度になり１回転の角度と同じになります。
入力と出力の角度が同じ３６０度になり入力の回転数と出力の回転数が同じにする事が出来、１のエネルギーが２倍率以上のエネルギーになります。
この方式は、３倍率のテコの作用点側の方のテコの角度により、分割させますので、角度が大きいと、分割が少なくなりますが、出来ない角度も有ります。
自分で自然の倍率を造り出す為に、出来たエネルギーは、タダデ出来たエネルギーと言うことです。
最初に他からエネルギーを、補給し自分を回して仕事おし、仕事お増やしても他からエネルギーを補給しなくてもすむ物が出来ます。
エントロピーの法則の逆の物が出来ます。
倍率を何倍にも上げるには、１倍率の倍率を、５倍率の減速機で、５倍に倍率に上げてプラスの２倍率の倍増機でさらに上げますと、倍率は、５×２は１０となり、１０倍になりますが、元の回転数に戻すには、５倍率減速させて有りますので、これお、元の回転数に戻すには、減速した５倍率の回転数を、引きますと、１０−５は５となり、元の回転数になり、１倍率の倍率が５倍率に上げられます。
又、上下運動の巾が左右ちがうので、テコに入力する時にテコの内側にクランクシャフト、又、カムロウラー等で入力する場合、テコの２倍率の所にクランクの軸を取り付けて上下運動を、させる事により上下運動の巾の違いを、調整する事が出来又、３倍率から１倍率に倍率を落とす事が出来、テコの長さを、同じ長さのゼロ倍率のてテコにする事が出来ると言うことは、上下運動の巾が同じ巾になり、回転数も同じにする事が出来ると言うことです。
後は、逆心力が生まれない構造にすれば良いのですが、分割分担方式にする事により、逆心力は生まれまれない構造になりますが、自分で作ったエネルギーで、自分を、回し仕事を増やしても、他からエネルギーを、補給しなくても良いと言う物が出来ます。
テコの１倍率の長さを、３センチの長さとして計算して書いております。
テコの長さを、１２センチにして真中の６センチの２倍率の所に支点又、軸を取り付けたテコは、ゼロ倍率のテコになり倍率を上げる事が出来ないが、上下運動の巾が左右同じ巾になりますので、回転も同じにする事が出来ます。
真中の支点、又、軸を左に３センチ寄せて、取り付けると長い方のテコは、３倍率のテコになり、入力する側の２倍率の所にクランクシャフトの軸を取り付け入力させますが、そこを左右に３、５センチずつシャフトが、回転出来るように巾と長さを細長くくり貫き、クランクシャフトが、回転出来るようにして、クランクが左右に動いて、２倍率から３倍率にするテコにする事が出来て、又、２倍率から１倍率にする事も出来ます。
クランクシャフトの回転する上下運動の巾を、テコの中の上下運動する所で巾を調整する事が出来、同じ巾にする事が出来て、同じ回転にする事も出来ます。
プラスのテコは、支点になる軸が２カ所取付けてありますので、２通りの構造方式の物が出来るが、クランク軸の方と、支点軸の方と２通りテコの中をくり貫く方式ですが、１つは出力側から３センチの所に、支点になる軸取付けて、入力する方に７センチほど、軸の巾と同じ巾に細長くくり貫き、支点の位置を、１倍率から３倍率に変えるテコになり、入力するクランクシャフトにより左右に動かして、倍率を変える事が出来る構造の方式の物が出来ます。
入力する側の２倍率の所の角度が６０度有りますが、逆心力の方も６０度になり、１倍率、出力側に寄せる事によりゼロ倍率のテコになり、同じ上下の巾のテコとなり同じ回転に変える事も出来き、回転の分割により、逆心力は生まれません。
これらわ、皆１行程の物で、このテコを、９行程上下運動をさせて回転に変えれば、プラスの倍率が生まれます。
このテコは、上下の運動の角度は、４０度と６０度の角度にした物の方式です。
クランク軸を２倍率の所に取付ける事により、入力する時には、２倍率から３倍率に上げるテコになりますが、テコの摩擦とか色々の抵抗が有り、３倍率は、上がらないと思いますが、２倍率以上は、上げる事が出来ると思います。
テコが２倍率の所からクランクシャフトにより、１倍率の３センチ寄せる事て左に動かすと、テコの長さが同じになり、ゼロ倍率のテコになるので、上下運動の巾が同じになると言うことは、同じ回転数にする事が出来ると言うことです。
上に書いた物は、理論と構造の説明です。
これらは、皆、１回転を分割分担方式にして、プラスの倍率にしており、又、
３６０度を、１倍率の長さが、３センチの場合い直径６センチの同じ円周にして、
使用しています。
これを、皆ＮＧＳ２方式と言います。
以上を、特許の理論と計算の範囲とします。